(57)【要約】【課題】表示についての煩雑さをユーザに感じさせることなく、ユーザに紹介すべき地点の情報をユーザに提供する。【解決手段】（ａ）指定位置を表す指定位置情報を取得する。（ｂ）指定位置表示を表示部２０２に表示するとともに、ユーザに紹介すべき対象地点を表す対象地点情報に基づいて、対象地点を表す対象地点表示を、表示部２０２に表示する。その際、（ｂ１）指定位置の近傍にある対象地点について、指定位置が対象地点に接近している第１区間に、対象地点表示を第１の濃度で表示する。そして、（ｂ２）第１の濃度で表示した対象地点について、指定位置が対象地点から遠ざかっている第２区間に、第１の濃度よりも薄い第２の濃度で表示する。または対象地点表示を表示部上から消す。【選択図】図８
2010286366.tif 000002
【特許請求の範囲】
【請求項１】
地点の情報を提供する情報提供装置であって、
指定位置を表す指定位置情報を取得することができる指定位置取得部と、
ユーザに紹介すべき対象地点を表す対象地点情報を格納する記憶部と、
画像を表示することができる表示部と、
前記指定位置を表す指定位置表示を前記指定位置情報に基づいて前記表示部に表示するとともに、前記対象地点を表す対象地点表示を前記対象地点情報に基づいて前記表示部に表示することができる制御部と、を備え、
前記制御部は、
前記指定位置の近傍の所定の範囲内にある前記対象地点について、前記指定位置が前記対象地点に接近している第１区間において、前記対象地点表示を第１の態様で前記表示部に表示し、
前記第１の態様で前記対象地点表示を表示した前記対象地点について、前記指定位置が前記対象地点から遠ざかっている第２区間において、前記対象地点表示を前記第１の態様とは異なる第２の態様で前記表示部に表示するか、または前記対象地点表示を前記表示部に表示しない、という表示動作が行うことができる、情報提供装置。
【請求項２】
請求項１記載の情報提供装置であって、
前記第１の態様による前記対象地点表示は、第１の濃度による表示を含み、
前記第２の態様による前記対象地点表示は、前記第１の濃度よりも薄い第２の濃度による表示を含む、情報提供装置。
【請求項３】
請求項１または２記載の情報提供装置であって、
前記記憶部は、さらに、共通の享受物を享受できる複数の対象地点を含む対象領域を表す対象領域情報を格納しており、
前記制御部は、前記第１区間において、前記対象地点表示とともに、前記対象地点表示に対応する対象地点が含まれる対象領域について、前記対象領域を表す対象領域表示を、前記対象領域情報に基づいて前記表示部に表示する、情報提供装置。
【請求項４】
請求項３記載の情報提供装置であって、
前記対象領域情報は、前記共通の享受物に関する情報と、前記対象領域に含まれる複数の対象地点に関する情報と、を含み、
前記制御部は、前記対象領域情報に基づいて、前記第１区間において、前記共通の享受物に関する情報を表す表示と、前記対象領域に含まれる前記複数の対象地点に関する情報を表す表示とを、前記対象領域表示に関連づけて表示する、情報提供装置。
【請求項５】
請求項３または４に記載の情報提供装置であって、
前記制御部は、前記指定位置が高速道路上にある場合には、
前記指定位置の近傍の所定の範囲内にあり、かつ、前記高速道路のインターチェンジ近傍の所定の範囲内にある前記対象地点については、前記表示動作を行い、
前記インターチェンジ近傍の所定の範囲内にない前記対象地点については、前記対象地点表示を前記表示部に表示しない、という動作を行うことができる、情報提供装置。
【請求項６】
請求項３または４に記載の情報提供装置であって、
前記制御部は、前記指定位置が鉄道の線路上にある場合には、
前記ユーザが乗車している列車を特定し、
前記指定位置の近傍の所定の範囲内にあり、かつ、前記列車の停車駅近傍の所定の範囲内にある前記対象地点については、前記表示動作を行い、
前記停車駅近傍の所定の範囲内にない前記対象地点については、前記対象地点表示を前記表示部に表示しない、という動作を行うことができる、情報提供装置。
【請求項７】
請求項１ないし６のいずれかに記載の情報提供装置であって、
前記記憶部は、さらに、前記ユーザの移動手段に関する情報を格納しており、
前記制御部は、前記ユーザの前記移動手段に応じて、前記表示部に前記対象地点表示を表示する対象地点を選択する、情報提供装置。
【請求項８】
地点の情報を提供する方法であって、
（ａ）指定位置を表す指定位置情報を取得する工程と、
（ｂ）前記指定位置を表す指定位置表示を前記指定位置情報に基づいて表示部に表示するとともに、ユーザに紹介すべき対象地点を表す対象地点情報に基づいて、前記対象地点を表す対象地点表示を、前記表示部に表示する工程と、を備え、
前記工程（ｂ）は、
（ｂ１）前記指定位置の近傍の所定の範囲内にある前記対象地点について、前記指定位置が前記対象地点に接近している第１区間において、前記対象地点表示を第１の濃度で表示する工程と、
（ｂ２）前記第１の濃度で前記指定位置表示を表示した前記対象地点について、
前記指定位置が前記対象地点から遠ざかっている第２区間において、前記対象地点表示を前記第１の濃度よりも薄い第２の濃度で表示するか、または
前記対象地点表示を前記表示部上から消す工程と、を含む方法。
【請求項９】
コンピュータにおいて実行され、地点の情報を前記コンピュータに提供させるためのコンピュータプログラムであって、
指定位置を表す指定位置情報を取得する機能と、
前記指定位置を表す指定位置表示を前記指定位置情報に基づいて表示部に表示するとともに、ユーザに紹介すべき対象地点を表す対象地点情報に基づいて、前記対象地点を表す対象地点表示を、前記表示部に表示する機能と、を前記コンピュータに実現させるコンピュータプログラムであり、
前記第２の機能は、
前記指定位置の近傍の所定の範囲内にある前記対象地点について、前記指定位置が前記対象地点に接近している第１区間において、前記対象地点表示を第１の濃度で表示する機能と、
前記第１の濃度で前記指定位置表示を表示した前記対象地点について、
前記指定位置が前記対象地点から遠ざかっている第２区間において、前記対象地点表示を前記第１の濃度よりも薄い第２の濃度で表示するか、または
前記対象地点表示を前記表示部上から消す機能と、を含む、コンピュータプログラム。
【発明の詳細な説明】
【技術分野】
【０００１】
この発明は、移動中のユーザに対して近傍にある施設、土地などの情報を提供する技術に関する。
【背景技術】
【０００２】
従来より、出発地から目的地に至る経路の近傍の販売店の情報を提供する技術が存在する。たとえば、ある従来技術においては、経路とともに地図上に販売店情報を表示する（特許文献１）。
【先行技術文献】
【特許文献】
【０００３】
【特許文献１】特開２００５−２４１３７９号公報
【発明の概要】
【発明が解決しようとする課題】
【０００４】
しかし、ユーザが必要とする可能性のある販売店情報をすべて地図上に表示すると、地図上の表示が煩雑となり、その結果、ユーザは必要な情報を地図上で発見しにくくなる。このような問題は、物の販売や購入に関する情報の提供に限らず、現在位置などの基準地点の近傍にある地点の情報をユーザに提供しようとする場合について、広く存在する。
【０００５】
本願に係る発明の少なくとも一部は、表示についての煩雑さをユーザに感じさせることなく、ユーザに紹介すべき地点の情報をユーザに提供することを目的とする。
【課題を解決するための手段】
【０００６】
本発明は、上述の課題の少なくとも一部を解決するためになされたものであり、以下の形態又は適用例として実現することが可能である。
【０００７】
［適用例１］
地点の情報を提供する情報提供装置であって、
指定位置を表す指定位置情報を取得することができる指定位置取得部と、
ユーザに紹介すべき対象地点を表す対象地点情報を格納する記憶部と、
画像を表示することができる表示部と、
前記指定位置を表す指定位置表示を前記指定位置情報に基づいて前記表示部に表示するとともに、前記対象地点を表す対象地点表示を前記対象地点情報に基づいて前記表示部に表示することができる制御部と、を備え、
前記制御部は、
前記指定位置の近傍の所定の範囲内にある前記対象地点について、前記指定位置が前記対象地点に接近している第１区間において、前記対象地点表示を第１の濃度で前記表示部に表示し、
前記第１の態様で前記対象地点表示を表示した前記対象地点について、前記指定位置が前記対象地点から遠ざかっている第２区間において、前記対象地点表示を前記第１の態様とは異なる第２の態様で前記表示部に表示するか、または前記対象地点表示を前記表示部に表示しない、という表示動作が行うことができる、情報提供装置。
【０００８】
このような態様とすれば、表示についての煩雑さをユーザに感じさせることなく、ユーザに紹介すべき地点の情報を提供することができる。
【０００９】
［適用例２］
適用例１の情報提供装置であって、
前記第１の態様による前記対象地点表示は、第１の濃度による表示を含み、
前記第２の態様による前記対象地点表示は、前記第１の濃度よりも薄い第２の濃度による表示を含む、情報提供装置。
【００１０】
このような態様においては、ユーザが対象地点から遠ざかっているときには、ユーザが対象地点に接近しているときに比べて、対象地点表示が目につきにくい。このため、ユーザが接近している対象地点についてはユーザに対して目に付きやすく情報を提供しつつ、表示部全体としては、表示の煩雑さを低減することができる。よって、表示についての煩雑さをユーザに感じさせることなく、ユーザに紹介すべき地点の情報を提供することができる。
【００１１】
［適用例３］
適用例２の情報提供装置であって、
前記記憶部は、さらに、共通の享受物を享受できる複数の対象地点を含む対象領域を表す対象領域情報を格納しており、
前記制御部は、前記第１区間において、前記対象地点表示とともに、前記対象地点表示に対応する対象地点が含まれる対象領域について、前記対象領域を表す対象領域表示を、前記対象領域情報に基づいて前記表示部に表示する、情報提供装置。
【００１２】
このような態様とすれば、ユーザは、共通の享受物を享受できる複数の対象地点を含む対象領域を、表示部を通じて、移動中に知ることができる。このため、最寄りの対象地点を通過した場合に、この先、指定位置の近傍に、同じ享受物を享受できる地点がありそうかどうかを、知ることができる。
【００１３】
なお、適用例２の情報提供装置であって、
前記記憶部は、さらに、前記指定位置周辺の地図を表す地図情報を格納しており、
前記制御部は、前記指定位置情報と、前記対象地点情報と、前記地図情報とに基づいて、地図上に、前記指定位置と前記対象地点を表示することができる、情報提供装置、という態様も好ましい。
【００１４】
このような態様とすれば、ユーザは、指定位置と対象地点との位置関係を地図上で知ることができる。
【００１５】
［適用例４］
適用例３の情報提供装置であって、
前記対象領域情報は、前記共通の享受物に関する情報と、前記対象領域に含まれる複数の対象地点に関する情報と、を含み、
前記制御部は、前記対象領域情報に基づいて、前記第１区間において、前記共通の享受物に関する情報を表す表示と、前記対象領域に含まれる前記複数の対象地点に関する情報を表す表示とを、前記対象領域表示に関連づけて表示する、情報提供装置。
【００１６】
このような態様とすれば、ユーザは、対象領域において得られる享受物、およびその享受物が得られる対象地点に関する情報を得ることができる。
なお、「対象地点に関する情報」としては、対象地点の名称（店舗名、施設名、景勝地の名称など）や、対象地点の連絡先（電話番号、住所、メールアドレスなど）、対象地点の位置（緯度、経度）を採用することができる。
【００１７】
［適用例５］
適用例３または４の情報提供装置であって、
前記制御部は、前記指定位置が高速道路上にある場合には、
前記指定位置の近傍の所定の範囲内にあり、かつ、前記高速道路のインターチェンジ近傍の所定の範囲内にある前記対象地点については、前記表示動作を行い、
前記インターチェンジ近傍の所定の範囲内にない前記対象地点については、前記対象地点表示を前記表示部に表示しない、という動作を行うことができる、情報提供装置。
【００１８】
ユーザが高速道路上にいる場合には、高速道路上の指定位置近傍の対象地点を紹介されても、ユーザがその対象地点に行く可能性は低い。ただし、ユーザが高速道路上にいる場合であっても、対象地点がインターチェンジの近傍にある場合には、インターチェンジの近傍にない場合にくらべて、ユーザがその対象地点に行く可能性は高い。上記の態様においては、対象地点がインターチェンジの近傍にない場合には、対象地点表示が表示されない。よって、そのような場合にも対象地点表示を行う態様に比べて、表示部の表示をより簡潔なものとすることができる。そして、対象地点がインターチェンジの近傍にある場合には、対象地点表示が表示される。よって、そのような場合に、ユーザに対象地点に関する情報を提供することができる。
【００１９】
［適用例６］
適用例３または４に記載の情報提供装置であって、
前記制御部は、前記指定位置が鉄道の線路上にある場合には、
前記ユーザが乗車している列車を特定し、
前記指定位置の近傍の所定の範囲内にあり、かつ、前記列車の停車駅近傍の所定の範囲内にある前記対象地点については、前記表示動作を行い、
前記停車駅近傍の所定の範囲内にない前記対象地点については、前記対象地点表示を前記表示部に表示しない、という動作を行うことができる、情報提供装置。
【００２０】
ユーザが列車に乗っている場合には、線路の近傍の対象地点を紹介されても、ユーザがその対象地点に行く可能性は低い。ただし、ユーザが列車に乗っている場合であっても、対象地点が停車駅の近傍にある場合には、停車駅の近傍にない場合にくらべて、ユーザがその対象地点に行く可能性は高い。上記の態様においては、対象地点が列車の停車駅の近傍にない場合には、対象地点表示が表示されない。よって、そのような場合にも対象地点表示を行う態様に比べて、表示部の表示をより簡潔なものとすることができる。そして、対象地点が列車の停車駅の近傍にある場合には、対象地点表示が表示される。よって、そのような場合に、ユーザに対象地点に関する情報を提供することができる。
【００２１】
［適用例７］
適用例１ないし４のいずれかの情報提供装置であって、
前記記憶部は、さらに、前記ユーザの移動手段に関する情報を格納しており、
前記制御部は、前記ユーザの前記移動手段に応じて、前記表示部に前記対象地点表示を表示する対象地点を選択する、情報提供装置。
【００２２】
このような態様とすれば、ユーザは、ユーザの移動手段に応じた適切な対象地点の情報を得ることができる。
なお、記憶部が、あらかじめ各移動手段に対応した対象地点の対象地点情報を格納している場合には、制御部は、その中から表示部に対象地点表示を表示する対象地点の対象地点情報を選択することができる。
また、制御部が、表示部に対象地点表示を表示する対象地点の対象地点情報を外部から取得する態様においては、制御部は、移動手段に応じて、取得すべき対象地点情報を表す情報とともに、外部に対象地点情報を要求する。そのような、取得すべき対象地点情報を限定した要求を行う行為も、「対象地点情報を選択する」行為に含まれる。
【００２３】
なお、本発明は、種々の形態で実現することが可能であり、例えば、情報提供装置および情報提供方法、経路データ生成装置および経路データ生成方法、経路案内装置および経路案内方法、それらの方法または装置の機能を実現するためのコンピュータプログラム、そのコンピュータプログラムを記録した記録媒体、そのコンピュータプログラムを含み搬送波内に具現化されたデータ信号、等の形態で実現することができる。
【図面の簡単な説明】
【００２４】
【図１】本発明の第１実施例である経路探索システムのハードウェア構成を示す図。
【図２】経路と特定領域との関係を表す図。
【図３】経路探索を行う際の携帯電話２００、経路探索サーバ１００、領域情報サーバ１８０の情報のやりとりを示すチャート。
【図４】ルートガイドにおける特定領域の案内の処理を示すフローチャート。
【図５】ルートガイド中にユーザに特定領域を紹介するために携帯電話２００の表示パネル２０２上に表示される画像ＩＤ１を示す図。
【図６】表示パネル２０２上に画像ＩＤ１が表示されなくなった後の状態を示す図。
【図７】図５および図６の状態でユーザが何らの操作も行わず、図４のステップＳ１２０４〜Ｓ１２１８を経て、再びＳ１２０２，Ｓ１２０４の処理が行われた場合に、表示される画像を示す図。
【図８】ルートガイドにおいて表示パネル２０２上に表示される範囲ＳＤ１と、ステップＳ１２２０において表示パネル２０２上に表示される地図の範囲ＳＤ２と、を示す図。
【図９】ステップＳ１２３４において享受物を享受できる場所を検索する際の表示パネル２０２上の表示の例を示す図。
【図１０】ステップＳ１２３４の検索の結果を示す画像。
【図１１】第２実施例において、ルートガイド中にユーザに特定領域を紹介するために携帯電話２００の表示パネル２０２上に表示される画像ＩＤ２を示す図。
【図１２】第３実施例において、図４のステップＳ１２２０で表示パネル２０２上に表示される画面の一例を示す図。
【発明を実施するための形態】
【００２５】
Ａ．第１実施例：
Ａ１．全体構成：
図１は、本発明の第１実施例である経路探索システムのハードウェア構成を示す図である。第１実施例の経路探索システムは、経路探索サーバ１００と、地図サーバ１５０と、領域情報サーバ１８０と、携帯電話２００と、を含む。
【００２６】
携帯電話２００は、ＧＰＳユニット２０１と、表示パネル２０２と、音声出力部２０３と、振動機構２０４と、通信部２０５と、コマンド入力部２０６と、時計部２０９と、主制御部２１０と、通話制御部２２０とを有している。
【００２７】
ＧＰＳユニット２０１は、ＧＰＳ（Ｇｒｏｂａｌ Ｐｏｓｉｔｉｏｎｉｎｇ Ｓｙｓｔｅｍ／全地球測位システム）の衛星からの電波を受信するためのアンテナを含むユニットである。ＧＰＳのアンテナが受信する電波に基づいて、ＧＰＳユニット２０１は、携帯電話２００の現在位置を表す現在位置情報を生成することができる。
【００２８】
表示パネル２０２は、画像を表示することができる液晶ディスプレイである。音声出力部２０３は、スピーカを含む装置であって、経路案内などのユーザへのメッセージやメロディなどを音声で出力できる装置である。振動機構２０４は、所定のパターンの振動でユーザの注意を促すことができる装置である。本明細書においては、画像、音声、振動を出力する装置２０２〜２０４を、まとめて「出力部」と呼ぶことがある。
【００２９】
通信部２０５は、インターネットＩＮＴを介して経路探索サーバ１００および地図サーバ１５０と通信を行い、情報を送受信することができる。コマンド入力部２０６は、テンキー２０６ａとカーソルキー２０６ｂとを含む。ユーザは、テンキー２０６ａとカーソルキー２０６ｂを介して携帯電話２００に情報を入力する。
【００３０】
時計部２０９は、主制御部２１０からの要求に応じて、現在時刻を表す現在時刻情報を出力する。通話制御部２２０は、通話のための着信呼出、音声／電気信号の変換などを行う回路である。
【００３１】
主制御部２１０は、携帯電話２００の各部を制御するための制御ユニットである。主制御部２１０は、それらの制御に使用されるＣＰＵ、ＲＡＭ、ＲＯＭを備えている。たとえば、主制御部２１０は、ＣＰＵでアプリケーションソフトウェア２１２を実行することによって携帯電話２００の各部を制御し、現在位置から目的地までの経路を表す経路データを入手して、その経路を表示パネル２０２に表示することができる。なお、経路データを入手する主制御部２１０の機能部を、図１において経路準備ユニット２３１として示す。また、経路データに基づいて表示パネル２０２に経路を表示し、ルートガイドを行う主制御部２１０の機能部を、図１において経路案内ユニット２３２として示す。
【００３２】
経路探索サーバ１００は、通信部１０２と、制御部１０４と、記憶部１０６とを有している。通信部１０２は、インターネットＩＮＴを介して地図サーバ１５０、領域情報サーバ１８０および携帯電話２００と通信を行うことができる。
【００３３】
記憶部１０６は、経路探索のための経路ネットワークデータを格納している。記憶部１０６は、さらに、地図サーバ１５０、領域情報サーバ１８０、および携帯電話２００から受け取ったデータ、およびそれらに基づいて生成されたデータを格納する。
【００３４】
経路ネットワークデータは、ノード情報と、交差点および駅の属性情報と、アーク情報とを含む。ノード情報は、交差点や、道路上で車線数が変わる地点、有料道路への進入路が分岐している場所、カーブの開始点および終了点、路線の駅などの地点を表すデータである。経路ネットワークデータは、各鉄道などの交通機関の路線のダイヤの情報も保持している。
【００３５】
交差点の属性情報は、ユーザがその交差点に進入するときに、そのユーザの携帯電話２００の表示パネル２０２に表示すべき情報、たとえば、交差点で交わる各道路がどこに向かっているかを示す情報である。
【００３６】
駅の属性情報は、その駅に列車の路線のうち何線が乗り入れているかを表す乗り入れ路線情報を含む。また、駅の属性情報は、その駅における各ホーム間の乗り換えに要する時間の情報も含んでいる。
【００３７】
アーク情報は、ノードとノードの間の道路または路線区間であるアークに関する情報である。各アークには固有のＩＤが割り当てられている。各アーク情報は、それぞれのアークに含まれる多数の地点の緯度および経度のデータを含んでいる。すなわち、ルートを設定することができる道路や路線区間は、それらの地点の点列として表すことができる。各アーク情報は、それらのＩＤおよび点列の情報に加えて、さらに、それぞれのアークが有料道路であるか否かに関する情報や、車線数の情報を含んでいる。
【００３８】
経路探索サーバ１００の制御部１０４は、記憶部１０６に格納されている経路ネットワークデータを参照しつつ、出発地および目的地、ならびに経由地その他の探索条件の情報に基づいて、ルートを探索する。そして、制御部１０４は、出発地点から目的地に至る経路を表す経路データを生成し、携帯電話２００に送信する。経路データは、ノード情報、アーク情報、交差点や駅の属性情報などを含む。
【００３９】
地図サーバ１５０は、通信部１５２と、制御部１５４と、地図データベース１５６とを有している。通信部１５２は、インターネットＩＮＴを介して経路探索サーバ１００や携帯電話２００と通信を行うことができる。
【００４０】
地図データベース１５６は、携帯電話２００に送信するための画像データとしての地図画像データを格納している。制御部１５４は、携帯電話２００から受け取ったデータに基づいて携帯電話２００が要求する一部の領域の地図を表す地図画像データを特定し、通信部１５２を介して携帯電話２００に送信する。
【００４１】
領域情報サーバ１８０は、通信部１８２と、制御部１８４と、領域データベース１８６とを有している。通信部１８２は、インターネットＩＮＴを介して経路探索サーバ１００と通信を行うことができる。
【００４２】
領域データベース１８６は、領域情報のデータを有している。領域情報は、（ｉ）地理上の特定領域の場所を表す情報と、（ｉｉ）その特定領域の特徴を表す情報と、を含む。
【００４３】
図２は、経路と特定領域との関係を表す図である。領域データベース１８６が有するデータにおいては、図２に示すように、日本の地理上の全領域が所定の大きさの長方形の区画に区切られている。各区画は、たとえば、基準となる区画から数えて東西南北のいずれかの向きに何番目の区画であるか、によって特定することができる。以下、「北に○番目、東に△番目」等の情報を「番地」と呼ぶ。また、区画は、たとえば、長方形の対角線を張る２点の緯度および経度で特定することができる。
【００４４】
なお、図２に示す地図上の範囲は、ルートガイドにおいて携帯電話２００の表示パネル２０２に表示される範囲と一致するものではない。携帯電話２００の表示パネル２０２に表示される範囲は、たとえば、図２に示す範囲の一部の範囲ＳＤ１である。参考のために、ルートガイドの際に表示される現在位置を示すアイコンをＰＰとして示す。ルートガイドの際には、範囲ＳＤ１に示すように、所定の条件下で特定領域が表示パネル２０２に表示される。
【００４５】
領域データベース１８６が有する領域情報のデータにおいては、特定領域の場所の情報を、その特定領域を構成する区画の番地の集合として保持する。また、領域データベース１８６が有する領域情報のデータは、特定領域の場所の情報を、その特定領域を構成する区画を表す２点の緯度および経度の集合としても保持する。図２の例においては、ハッチが付されている領域Ａ１〜Ａ５が特定領域である。
【００４６】
一方、特定領域の特徴を表す情報は、たとえば、おいしいラーメン屋が多い地域である旨の情報や、居酒屋が多い地域である旨の情報、紅葉が美しい地域である旨の情報、桜が美しい地域である旨の情報、などとすることができる。図２の例では、おいしいラーメン屋が多い特定領域Ａ１〜Ａ５を示す。「特定領域の特徴を表す情報」は、特定領域においてユーザが享受できるもの（ラーメン屋、居酒屋、紅葉、桜など）の情報である。以下、特定領域においてユーザが享受できるものを「享受物」と呼ぶ。
【００４７】
なお、「享受物」は、ユーザが所有することができる有体物（たとえば、おみやげや、飲食店における飲食物など）だけではなく、ユーザが所有することができる有体物ではないもの、すなわち、ユーザが享受できるサービスやユーザが楽しむことができる景色など（紅葉を楽しむこと、桜をたのしむことなど）を含む。
【００４８】
なお、互いに異なる享受物を享受できる特定領域は、互いに重複する領域である場合がある。たとえば、おいしいラーメン屋が多い特定領域と、居酒屋が多い特定領域は、一部が重複することがある。
【００４９】
領域データベース１８６は、さらに、特定領域に含まれる個々の地点に関する情報も含む。たとえば、おいしいラーメン屋が多い特定領域については、個々のラーメン屋の位置の情報（緯度および経度）と、そのラーメン屋の評価の情報とを有している。美しい紅葉が見られる特定領域については、たとえば、美しいモミジの木がある地点の情報（緯度および経度）や、駐車場の位置の情報（緯度および経度）および駐車料金の情報などを含むことができる。
【００５０】
特定領域の特徴を表す情報は、時間の情報を含む場合がある。たとえば、紅葉が美しい地域である旨の情報は、紅葉が美しい時期の情報とともに、特定領域の特徴を表す情報として領域データベース１８６に格納される。すなわち、その特徴が発揮される時間が限られる場合には、特定領域の特徴を表す情報は、その特徴が発揮される時間の情報を含む。
【００５１】
制御部１８４は、経路探索サーバ１００から受け取った経路を表す位置データに基づいて、その経路の近傍にある特定領域を決定する。そして、その特定領域の位置の情報および特徴を表す情報を含むデータを作成し、通信部１８２を介して経路探索サーバ１００に送信する。
【００５２】
経路探索サーバ１００の制御部１０４は、記憶部１０６内の経路ネットワークデータを参照しつつ、地図サーバ１５０、領域情報サーバ１８０、および携帯電話２００から受け取った各データに基づいて、出発地点から目的地に至る経路を表す経路データを生成する。生成された経路データは、携帯電話２００に送信され、携帯電話２００において経路の案内または表示のために使用される。
【００５３】
経路データには、経路を表すノード情報およびアーク情報などの経路情報のほか、交差点で曲がるべき方向を示すなどの移動案内に使用されるデータが含まれる。それら経路に沿ってユーザを移動させるための移動案内に使用される情報を「第１種の情報」と呼ぶことがある。また、経路データには、経路の近傍にある特定領域の位置の情報および特徴を表す情報を含むデータが含まれる。それら特定領域の享受物に関して特定領域の紹介を行うための情報を「第２種の情報」と呼ぶことがある。
【００５４】
Ａ２．経路データの生成：
図３は、経路探索を行う際の携帯電話２００、経路探索サーバ１００、領域情報サーバ１８０の情報のやりとりを示すチャートである。
【００５５】
ステップＳ１１０において、ユーザからルート検索の指示を受け取ると、携帯電話２００の主制御部２１０は、出発地および目的地の情報、ならびに経由地やユーザが経路を移動する日の日付、高速道路の利用の有無を指定する情報などの探索条件の情報を、経路探索サーバ１００に送信する。
【００５６】
ステップＳ２１０では、経路探索サーバ１００の制御部１０４が、記憶部１０６内の経路ネットワークデータを参照しつつ、出発地および目的地の情報、探索条件の情報などに基づいて、経路を決定する。ステップＳ２１０の処理を行う制御部１０４の機能部を、経路決定部１１１として示す。
【００５７】
ステップＳ２２０では、経路探索サーバ１００は、決定された経路の各地点の位置の情報（ノード情報およびアーク情報）を領域情報サーバ１８０に送信して、経路の近傍の特定領域の情報を問い合わせる。
【００５８】
ステップＳ３１０では、領域情報サーバ１８０は、領域データベース１８６を参照して、経路探索サーバ１００から受け取った経路の位置の情報に基づいて、経路の近傍の特定領域を決定する。そして、それらの特定領域の情報は経路探索サーバ１００に送信される。なお、特定領域の情報には、その特定領域の位置を表す情報が含まれる。特定領域の位置を表す情報を、本明細書において「対象領域情報」と呼ぶことがある。また、特定領域の情報には、その特定領域内にある、享受物を享受できる地点の情報も含まれる。この享受物を享受できる地点の情報を、本明細書において「対象地点情報」と呼ぶことがある。
【００５９】
経路の近傍の特定領域の決定においては、経路を中心に所定の距離だけの幅を有する領域と少なくとも一部が重なる特定領域は、ステップＳ３１０において原則として選択される。たとえば、図２の例において、図３のステップＳ２１０で決定された経路をＲ０とする。ステップＳ３１０では、経路Ｒ０がその中を通過する特定領域Ａ１，Ａ３のほか、経路Ｒ０を中心に両側に所定の距離Ｗ１（たとえば１５００ｍ）だけの幅を有する領域Ｒ０ｆと一部または全部が重なる特定領域Ａ２，Ａ４，Ａ５も、選択される。なお、経路を中心に両側に所定の距離だけの幅を有する領域は、経路上の任意の点から所定の距離以内にある範囲である。
【００６０】
なお、経路を移動する際の日付として経路探索サーバ１００から受け取った日付が、ある特定領域の特徴が発揮される時間外である場合には、領域情報サーバ１８０は、その特定領域が経路の近傍にあるものであっても、ステップＳ３１０においてその特定領域を選択しない。
【００６１】
なお、経路の近傍の特定領域を決定する領域情報サーバ１８０の制御部１８４の機能部を、図１において領域決定部１８８として示す。また、ステップＳ２２０の処理を行って、経路近傍の特定領域の中から所定の条件を満たす特定領域を決定する経路探索サーバ１００の制御部１０４の機能部を、図１において領域決定部１１２として示す。これら領域決定部１１２および領域決定部１８８によって、経路データに情報が組み込まれる経路近傍の特定領域が決定される。
【００６２】
経路探索サーバ１００は、領域情報サーバ１８０から特定領域のデータを受信すると、ステップＳ２３０で、ステップＳ２１０で決定した経路の情報、および経路の近傍の特定領域の情報に基づいて、経路データを生成する。生成された経路データは、出発地、目的地、探索条件などの情報とともに、経路探索サーバ１００の記憶部１０６内に格納される。ステップＳ２３０の処理を行って、経路データを生成する経路探索サーバ１００の制御部１０４の機能部を、図１において経路データ生成部１１３として示す。
【００６３】
経路データは、経路に含まれる地点のノード情報およびアーク情報と、交差点および駅の属性情報と、を含む。アーク情報は、さらに、緯度および経度の点列の情報を含む。また、経路データは、上述の移動案内のための情報や、経路近傍の特定領域の情報を含む。なお、ノード情報とアーク情報とをまとめて「経路情報」と呼ぶことがある。
【００６４】
ステップＳ２３０で経路探索サーバ１００によって生成された経路データは、ステップＳ２４０で、経路探索サーバ１００から携帯電話２００に送信される。携帯電話２００は、その経路データを受信し、ＲＡＭ内に格納する。出発地、目的地、探索条件などの情報を、経路探索サーバ１００に送信し、経路探索サーバ１００から経路データを受け取る主制御部２１０の機能部は、経路準備ユニット２３１である（図１参照）。すなわち、本実施例において経路データは、経路準備ユニット２３１が経路探索サーバ１００に生成させ、これを入手することによって準備される。
【００６５】
その後、ユーザからコマンド入力部２０６を介してルートガイドを開始する旨の指示が入力されると、携帯電話２００の主制御部２１０は、ステップＳ１２０で、ルートガイドを実行する。ルートガイドは、経路探索サーバ１００から受信した経路データに基づいて行われる。また、携帯電話２００の主制御部２１０は、別途、地図サーバ１５０から取得し、ＲＡＭ内に格納している現在位置周辺の地図画像データに基づいて、表示パネル２０２上に経路とともに現在位置の周辺の地図を表示する。
【００６６】
なお、地図サーバ１５０から地図画像データを入手する主制御部２１０の機能部を、図１において地図情報準備ユニット２３３として示す。また、経路データに基づいてルートガイドを行う主制御部２１０の機能部は、経路案内ユニット２３２である（図１参照）。特に、経路データのノード情報、交差点および駅の属性情報、アーク情報等に基づいて、個々の交差点の曲がり方を指示したり、分岐の際の進行方向を指示したりする主制御部２１０の機能部を、図１において、案内実行部２３２ａとして示す。
【００６７】
なお、本明細書においては、ルートガイドを「経路案内」ということがある。これに対して、たとえば、個々の交差点の曲がり方を指示したり、分岐の際の進行方向を指示したりする処理、すなわち、進行方向に関して複数の選択肢がある場合に、経路に沿ってユーザを移動させるための処理を、「移動案内」と呼ぶ。主制御部２１０の機能部としての案内実行部２３２ａが、移動案内を実行する。
【００６８】
Ａ３．ルートガイドにおける特定領域の案内：
図４は、ルートガイドにおける特定領域の案内の処理を示すフローチャートである。携帯電話２００の主制御部２１０は、ルートガイドを行いつつ（図３のステップＳ１２０参照）、現在位置が特定領域の近傍にあるか否かの判定を行う（図４のステップＳ１２０２）。現在位置が特定領域の近傍にない場合には、そのまま所定時間だけ待機して再びステップＳ１２０２の判定を行う。現在位置が特定領域の近傍にある場合には、処理はステップＳ１２０４に進む。
【００６９】
なお、特定領域の外縁上の任意の点から一定の距離以内の範囲、または特定領域内に現在位置があるとき、現在位置が「特定領域の近傍」にあるものとする。具体的には、特定領域の外縁からさらに一定の距離だけ特定領域の外部に向かう方向に離れた外縁を有する所定の領域内に現在位置がある場合には、現在位置が特定領域の「近傍」にあると判定できる。
【００７０】
図５は、ルートガイド中にユーザに特定領域を紹介するために携帯電話２００の表示パネル２０２上に表示される画像ＩＤ１を示す図である。図５において、図２中の要素と同じ符号が付されている要素は、図２中の要素と同じ要素である。ルートガイドの際には、表示パネル２０２上に、経路Ｒ０と現在位置ＰＰとが示される。経路Ｒ０と現在位置ＰＰの位置関係は、ＧＰＳユニット２０１から得られる現在位置情報と、経路データのノード情報およびアーク情報等に基づいて決定される。
【００７１】
また、表示パネル２０２上には、経路Ｒ０以外の地図画像が表示される。現在位置周辺の地図画像のデータは、地図サーバ１５０から取得される。地図画像のデータと、現在位置情報と、経路データのノード情報およびアーク情報等に基づいて、経路Ｒ０と現在位置ＰＰとは、地図画像上に重ねて表示される。図５の例では、道路Ｒ１とＲ２が表示されている。ｐｃ２は、経路Ｒ０である道路と道路Ｒ２の交差点である。図５には示されていないが、経路Ｒ０である道路と道路Ｒ１の交差点をｐｃ１とする。
【００７２】
図４のステップＳ１２０２で現在位置がその近傍にあると判定された特定領域は、ステップＳ１２０４において、ルートガイドの最中に、図５のＩＤ１のような表示を使用してユーザに紹介される。以下では、特定領域の紹介を「領域紹介」と呼ぶ。また、領域紹介と同時に、現在位置がその近傍にあると判定された特定領域も表示パネル２０２上に表示される。図５の例では、特定領域Ａ１を表す表示と、特定領域に含まれ享受物を享受できる個々の場所を表す表示Ｐｅ１１〜Ｐｅ１５が表示されている。特定領域を表す表示は、対象領域情報に基づいて行われる。特定領域に含まれ享受物を享受できる個々の場所を表す表示は、ＲＡＭ内に格納された対象地点情報に基づいて行われる。特定領域Ａ１を表す表示と、個々の地点を表す地点表示Ｐｅ１１〜Ｐｅ１５とは、ＲＡＭ内に格納された地図画像のデータと、対象領域情報と、対象地点情報等に基づいて、地図画像上に重ねて表示される。本実施例では、特定領域はピンクで表示され、特定領域内の地点は、ブルーで表示される者とする。ステップＳ１２０２，Ｓ１２０４の機能を奏する主制御部２１０の機能部を、図１において、領域紹介部２３２ｂとして示す。
【００７３】
ユーザに特定領域を紹介するための画像ＩＤ１は、特定領域の享受物に関する表示ＤＭ１と、その特定領域の享受物をユーザが享受できる個々の場所の情報を検索させるためのボタンＢ０１と、ステップＳ１２０２で現在位置がその近傍にあると判定された特定領域以外の特定領域を検索させるためのボタンＢ０２と、を含む。
【００７４】
ボタンＢ０１は、また、享受物を享受できる個々の場所に関する情報検索の指示をユーザに促す機能を奏する。すなわち、「地点検索」という表示を伴うボタンＢ０１（図５参照）を見たユーザは、「地点検索」という表示によって、享受物を享受できる個々の場所に関する情報検索を促され、ボタンＢ０１を押すことで、享受物を享受できる個々の場所に関する情報検索の指示を、経路探索システムに対して行う。
【００７５】
また、ボタンＢ０２は、現在位置がその近傍にある特定領域以外の特定領域の検索の指示をユーザに促す機能を奏する。すなわち、「他領域検索」という表示を伴うボタンＢ０２（図５参照）を見たユーザは、「他領域検索」という表示によって、現在位置がその近傍にある特定領域以外の特定領域の検索を促され、ボタンＢ０２を押すことでその検索の指示を、経路探索システムに対して行う。なお、ユーザに特定領域を紹介するための画像ＩＤ１は、「移動案内」が所定の時間（たとえば３０秒）だけ実行されない時間区間を選んで所定のタイミングで表示される。
【００７６】
図４のステップＳ１２０６では、他の特定領域を提示させるためのボタンＢ０２が押されたか否かが判定される。ボタンＢ０２が押された場合には、処理はステップＳ１２２０に進む。ボタンＢ０２が押されない場合には、処理はステップＳ１２０８に進む。
【００７７】
図４のステップＳ１２０８では、享受物を享受できる場所を検索させるためのボタンＢ０１が押されたか否かが判定される。ボタンＢ０１が押された場合には、処理はステップＳ１２３０に進む。ボタンＢ０１が押されない場合には、処理はステップＳ１２１０に進む。
【００７８】
ステップＳ１２１０では、ボタンＢ０１，Ｂ０２が押されない状態で所定の時間Ｔｗ１（たとえば、１５秒）が経過したか否かが判定される。時間Ｔｗ１が経過していない場合には、処理はステップＳ１２０６に戻る。ボタンＢ０１，Ｂ０２が押されない状態で時間Ｔｗ１が経過した場合には、処理はステップＳ１２１２に進む。
【００７９】
図６は、表示パネル２０２上に画像ＩＤ１が表示されなくなった後の状態を示す図である。ステップＳ１２１２では、主制御部２１０の機能部としての領域紹介部２３２ｂは、画像ＩＤ１の表示を終了する。ただし、ボタンＢ０１，Ｂ０２については、図６に示すように、画面の端に表示され続ける。所定時間経過後に特定領域の享受物に関する表示ＤＭ１を表示パネル２０２から消すことによって、領域紹介のための表示がルートガイドのための経路や地図の表示を覆ってしまい、ルートガイドがわかりにくくなるという事態を防止できる。また、ボタンＢ０１，Ｂ０２の表示を残すことで、ルートガイドのための表示を阻害しない範囲で、その後、ユーザが特定領域の情報を求めた場合に、特定領域の情報を提供することができる。
【００８０】
ステップＳ１２１４では、ステップＳ１２０２で現在位置がその近傍にあると判定された特定領域を通過したか否かが判定される。現在位置が特定領域を通過していない場合には、処理はステップＳ１２０６に戻る。現在位置が特定領域を通過した場合には、処理はステップＳ１２１６に進む。なお、ステップＳ１２１４からステップＳ１２０６に戻った後、再びステップＳ１２１２に至った場合には、表示ＤＭ１が表示されない状態が維持される。
【００８１】
ステップＳ１２１６では、ボタンＢ０１，Ｂ０２の表示を終了する。このような態様とすることで、特定領域を出た後、次の特定領域の近傍に至るまでの間は、画面の表示を単純にして、ルートガイドをわかりやすくすることができる。また、ボタンＢ０１，Ｂ０２を押さずに特定領域を通過した場合には、ユーザは、その特定領域の情報を希望しないという意思決定をしたものと推測できる。このため、特定領域を通過した後は、ボタンＢ０１，Ｂ０２の表示を終了しても、ユーザが不便を感じる可能性は低い。
【００８２】
また、ステップＳ１２１６では、主制御部２１０は、特定領域Ａ１を表す表示と、特定領域に含まれ享受物を享受できる個々の場所を表す表示Ｐｅ１１等を、ステップＳ１２０４で表示した際の色よりも薄い色で表示する。なお、「色Ｃ１よりも薄い色Ｃ２」とは、たとえば、色Ｃ１と色相が類似しており、明度が高い色Ｃ２である。また、「色Ｃ１よりも薄い色Ｃ２」としては、色Ｃ１と色相が同じで明度が高い色Ｃ２が好ましい。色Ｃ２の彩度は、色Ｃ１の彩度と同じでも良いし、より低くてもよい。
【００８３】
このような態様とすれば、ユーザは、すでに通過した特定領域Ａ１およびそこに含まれる地点の表示に煩わされることなく、地図上の他の表示に集中することができる。
【００８４】
ステップＳ１２１８では、ルートガイドが終了したか否かが判定される。ルートガイドが終了した場合には図４の領域紹介の処理も終了する。ルートガイドが終了していない場合には、処理はステップＳ１２０２に戻る。
【００８５】
図７（ａ）は、図５および図６の状態（図４のステップＳ１２０４参照）でユーザが何らの操作も行わず、図４のステップＳ１２０６，Ｓ１２０８，Ｓ１２１０，Ｓ１２１４，Ｓ１２１８を経て、再びＳ１２０２，Ｓ１２０４の処理が行われた場合に、携帯電話２００の表示パネル２０２上に表示される画像を示す図である。図７（ａ）において、図５と同じ要素については、同じ符号を付して示す。たとえば、特定領域Ａ１を通過した後に、現在位置が特定領域Ａ３に近づいた場合に、図４のステップＳ１２０２を経て、ステップＳ１２０４において、図７（ａ）の表示が行われる。
【００８６】
なお、技術の理解を容易にするため、図７（ａ）では、図５の例よりも縮尺が大きい例を示している。すなわち、図７（ａ）の例では、図５の例よりも広い範囲の地図が示されている。表示パネル２０２上に表示される地図の縮尺は、テンキー２０６ａ、カーソルキー２０６ｂなどのコマンド入力部２０６を介したユーザからの指示によって、変更されうる。
【００８７】
図７（ａ）の状態においても、特定領域を紹介する画像ＩＤ１が表示されている。図７（ａ）の例では、図４のステップＳ１２１６で、より薄い色による表示に変更された領域Ａ１は、そのまま図５における表示よりも薄い色で表示されている。また、図７（ａ）の例では、図５において表示されていた地点表示Ｐｅ１２，Ｐｅ１４が表示されている。図４のステップＳ１２１６で、より薄い色による表示に変更された地点表示Ｐｅ１２，Ｐｅ１４は、図７（ａ）の状態において、図５における表示よりも薄い色で表示されている。
【００８８】
そして、図４のステップＳ１２０４における表示パネル２０２上の表示においては、現在位置がそこから遠ざかっている特定領域は、現在位置がそこに近づいている特定領域よりも薄い色で表示される。それぞれの特定領域に含まれる地点についても同様である。
【００８９】
たとえば、現在位置がそこから遠ざかっている特定領域Ａ１は、図７（ａ）においては、現在位置がそこに近づいている特定領域Ａ３よりも薄い色のピンクで表示される。また、特定領域Ａ１に含まれる地点は、図７（ａ）においては、特定領域Ａ３に含まれる地点表示Ｐｅ３１〜Ｐｅ３４よりも薄い色のブルーで表示される。なお、特定領域Ａ１，Ａ３においては、享受物を享受できる地点の密度は同程度であるものとする。享受物を享受できる地点の密度が同じである特定領域Ａ１，Ａ３は、ともに現在位置がそこに近づいている場合には、同じ濃度で表示され、ともに現在位置がそこから遠ざかっている場合には、同じ濃度（ただし、近づいている場合よりも薄い濃度）で表示される。
【００９０】
なお、図７（ａ）における特定領域Ａ１の表示を、特定領域Ａ３および図５における特定領域Ａ１の表示と区別するために、より粗いハッチで示す。また、図７（ａ）における地点表示Ｐｅ１２，Ｐｅ１４を、特定領域Ａ３に含まれる地点Ｐｅ３１〜Ｐｅ３４、ならびに図５における地点表示Ｐｅ１２，Ｐｅ１４と区別するために、破線で示す。
【００９１】
図７（ｂ）は、図７（ａ）に示した各特定領域の表示を時間軸方向に沿ってみたときの、表示態様（濃度）を表すグラフである。図７（ｂ）において、横軸は時間を表す。縦軸は、特定領域、より具体的には、特定領域Ａ１，Ａ３の区別を表す。この例では、まず、現在位置が特定領域Ａ１内にあり（図５参照）、その後、時刻ｔｐ１において、現在位置が特定領域Ａ１を通過し（図４のステップＳ１２１４参照）、時刻ｔａ３において、現在位置が特定領域Ａ３の近傍に至り（図７（ａ）参照）、時刻ｔｉ３において、現在位置が特定領域Ａ３内に入り、時刻ｔｐ３において、現在位置が特定領域Ａ３を通過したものとする。
【００９２】
特定領域Ａ１は、時刻ｔｐ１までの時間区間Ｐ１１においては、濃いピンクで表示される。時刻ｔｐ１までの時間区間Ｐ１１は、現在位置が特定領域Ａ１に近づいているかまたは特定領域Ａ１内にある時間区間である。図７（ｂ）において、濃いピンクで表示される特定領域Ａ１の表示を実線で示す。一方、時刻ｔｐ１以降の時間区間Ｐ１２においては、特定領域Ａ１は、それまでよりも薄いピンクで表示される。時刻ｔｐ１以降の時間区間Ｐ１２は、現在位置が特定領域Ａ１から遠ざかっている時間区間である。図７（ｂ）において、薄いピンクで表示される特定領域Ａ１の表示を破線で示す。なお、ブルーで表示される特定領域Ａ１内の各地点の表示の濃度についても、特定領域Ａ１の表示の濃度とともに切り換えられる。
【００９３】
一方、特定領域Ａ３については、時刻ｔａ３から時刻ｔｐ３までの時間区間Ｐ２１においては、濃いピンクで表示される。時刻ｔａ３から時刻ｔｐ３までの時間区間Ｐ２１は、現在位置が特定領域Ａ３に近づいているかまたは特定領域Ａ３内にある時間区間である。すなわち、時刻ｔａ３から時刻ｔｉ３までの時間区間Ｐ２１ａは、現在位置が特定領域Ａ３に近づいている時間区間である。時刻ｔｉ３から時刻ｔｐ３までの時間区間Ｐ２１ｂは、現在位置が特定領域Ａ３内にある時間区間である。図７（ｂ）において、濃いピンクで表示される特定領域Ａ３の表示を実線で示す。
【００９４】
また、特定領域Ａ３は、時刻ｔｐ３以降の時間区間Ｐ２２においてはそれまでよりも薄いピンクで表示される。時刻ｔｐ３以降の時間区間Ｐ２２は、現在位置が特定領域Ａ３から遠ざかっている時間区間である。図７（ｂ）において、薄いピンクで表示される特定領域Ａ３の表示を破線で示す。なお、ブルーで表示される特定領域Ａ３内の各地点の表示の濃度についても、特定領域Ａ３の表示の濃度とともに切り換えられる。
【００９５】
なお、特定領域Ａ１，Ａ３は、表示パネル２０２上において、薄い色で表示された状態で、現在位置が移動することによって特定領域Ａ１，Ａ３が表示パネル２０２の表示範囲外となるまで、表示される。
【００９６】
このような態様においては、ユーザは、地図画像上において、遠ざかりつつある特定領域およびそこに含まれる地点よりも、近づきつつある特定領域およびそこに含まれる地点に、より意識を集中しやすい。なお、ここでは、現在位置がそこから遠ざかっている特定領域と、現在位置がそこに近づいている特定領域とが一つずつある例について説明したが（図７（ａ）参照）、それぞれの特定領域が画面上に複数表示される場合も同様である。
【００９７】
一方、図４のステップＳ１２０６において、他の特定領域を提示させるためのボタンＢ０２が押されたと判定された場合には、処理はステップＳ１２２０に進む。
【００９８】
図８は、ルートガイド（たとえば図４のステップＳ１２０２，Ｓ１２０４の状態）において表示パネル２０２上に表示される地図の範囲ＳＤ１と、図４のステップＳ１２２０において表示パネル２０２上に表示される地図の範囲ＳＤ２と、を示す図である。ステップＳ１２２０では、それまでに表示されていた範囲よりも広い範囲の地図を表示パネル２０２上に表示する。たとえば、ステップＳ１２２０では、それまでに表示されていた範囲の４倍（縦２倍かつ横２倍）以上の範囲の地図を表示パネル２０２上に表示する。その際、図８には示されないが、「エリアを選択して下さい」などの特定領域の選択を促す表示も、範囲ＳＤ２内の地図の画像とともに表示される。
【００９９】
なお、ステップＳ１２２０において表示パネル２０２上に表示される範囲は、図３のステップＳ３１０において使用された、経路Ｒ０を中心に両側に所定の距離Ｗ１だけの幅を有する領域Ｒ０ｆに含まれる範囲である（図２参照）。本明細書において、領域Ｒ０ｆを一般化して「第１の範囲」と呼ぶことがある。また、範囲ＳＤ２に相当する領域を一般化して「第２の範囲」と呼ぶことがある。ステップＳ１２２０において表示パネル２０２上に表示される地図の範囲ＳＤ２は、現在位置ＰＰに対して経路Ｒ０の前方部分の長さが、現在位置ＰＰに対して経路Ｒ０の後ろ部分の長さよりも長くなるように決定される。
【０１００】
ステップＳ１２２０では、表示パネル２０２上に表示した範囲に含まれる特定領域であって、ステップＳ１２０４で領域紹介した特定領域と同じ享受物を享受できる特定範囲を表示パネル２０２上に示す。図５および図８の例では、ステップＳ１２０４で表示されるのは範囲ＳＤ１に含まれる特定領域Ａ１のみであるが、ステップＳ１２２０では、範囲ＳＤ２に含まれる特定領域Ａ２〜Ａ５も表示される。このような態様とすることで、ユーザは、現在位置に最も近い特定領域以外に、同じ享受物を享受できる経路近傍の他の特定領域も考慮して、経路の変更を検討することができる。
【０１０１】
なお、ステップＳ１２２０において表示される特定領域Ａ２〜Ａ５に関する情報は、いずれも経路データと関連づけられて格納されている。すなわち、特定領域Ａ１〜Ａ５は、経路Ｒ０を中心に両側に所定の距離の幅を有する領域Ｒ０ｆと一部または全部が重なる特定領域である（図２、および図３のステップＳ３１０参照）。
【０１０２】
ステップＳ１２２０では、ステップＳ１２０４における処理と同様に、現在位置がそこから遠ざかっている特定領域は、現在位置がそこに近づいている特定領域よりも薄い色で表示される。それぞれの特定領域に含まれる地点の表示も同様である。図８の例では、現在位置は、経路Ｒ０上を相対的に右上に進行している。このため、特定領域Ａ１，Ａ５は、特定領域Ａ２，Ａ３，Ａ４よりも薄い色（ここではピンク）で表示されている。また、特定領域Ａ１，Ａ５に含まれる地点は、特定領域Ａ２，Ａ３，Ａ４に含まれる地点よりも薄い色（ここではブルー）で表示される。
【０１０３】
このような態様においては、ユーザは、領域検索において表示される地図上においても（ステップＳ１２０６，Ｓ１２２０）、遠ざかりつつある特定領域およびそこに含まれる地点よりも、近づきつつある特定領域およびそこに含まれる地点に、より意識を集中しやすい。
【０１０４】
また、ステップＳ１２２０，Ｓ１２０２，Ｓ１２０４では、享受物（図８の例ではラーメン店）を享受できる地点を地理上の単位面積あたりで所定数以上（たとえば、１０００平方メートルあたり１地点以上）有している特定領域は、そうではない特定領域よりも濃い色で表示される。図８の例では、現在位置が近づきつつある特定領域Ａ２〜Ａ４のうち、含んでいる地点の密度が高い特定領域Ａ２は、特定領域Ａ３，Ａ４よりも濃い色（ピンク）で表示されている。また、現在位置がそれらから遠ざかりつつある特定領域Ａ１，Ａ５のうち、含んでいる地点の密度が高い特定領域Ａ５は、特定領域Ａ１よりも濃い色（ピンク）で表示されている。各特定領域に含まれる地点の表示の濃度についても同様である。
【０１０５】
このような態様とすれば、ユーザは、経路からの距離とともに、享受物を享受できる地点がどの程度密集しているか、を考慮して、寄り道する特定領域を決定することができる。なお、ステップＳ１２２０の機能を奏する主制御部２１０の機能部を、図１において、他領域提示部２３２ｅとして示す。
【０１０６】
携帯電話２００のカーソルキー２０６ｂを操作することで、表示パネル２０２に表示されている特定領域が順に選択される。ステップＳ１２２２では、ユーザは、携帯電話２００のカーソルキー２０６ｂを操作して、表示されている特定領域の中から詳細な情報を得たい特定領域を選択する。すると、ステップＳ１２２４では、選択された特定領域の領域紹介が行われる。領域紹介の態様はステップＳ１２０４と同様である。
【０１０７】
すなわち、ステップＳ１２２４では、特定領域の享受物に関する表示ＤＭ１（たとえば、「ここはおいしいラーメン屋が多い地域です」）と、享受物を享受できる場所を提示させるためのボタンＢ０１と、他の特定領域を提示させるためのボタンＢ０２と、を含む画像ＩＤ１が表示される（図５参照）。その後、処理はステップＳ１２０６に戻る。なお、ステップＳ１２２４の機能を奏するのは、主制御部２１０の機能部としての領域紹介部２３２ｂである（図１参照）。
【０１０８】
また、ステップＳ１２０８において、享受物を享受できる場所を提示させるためのボタンＢ０１が押されたと判定された場合には、処理はステップＳ１２３０に進む。ステップＳ１２３０では、享受物を享受できる場所を検索する際の地理的条件を決定する。具体的には、ユーザがボタンＢ０１を押した直前に領域紹介された特定領域内に、検索対象を限定する。
【０１０９】
ステップＳ１２３２では、享受物を享受できる場所を検索する際の特徴に関する条件を決定する。具体的には、ユーザがボタンＢ０１を押した直前に領域紹介された特定領域の享受物の分類に関する条件を限定する。
【０１１０】
図９は、ステップＳ１２３４において享受物を享受できる場所を検索する際の表示パネル２０２上の表示の例を示す図である。ここでは、おいしいラーメン店を含む特定領域が指定されているので、左側に示される大分類の選択肢ＤＣ１である「コンビニ」、「グルメ」、「銀行」、「ガソリンスタンド」の中から「グルメ」が選択されている。なお、図９において、選択されている選択肢は太枠で囲まれている。
【０１１１】
さらに、大分類「グルメ」の中の小分類の選択肢ＤＣ２である「和食」、「洋食」、「中華」、「ラーメン」、「居酒屋」の中から「ラーメン」が選択されている。ステップＳ１２３２では、このような享受物の分類に関する条件が決定される。
【０１１２】
なお、たとえば、享受物がイタリア料理である場合には、分類「洋食」の下の図示しない選択肢、「フランス料理」、「イタリア料理」、「スペイン料理」、「ドイツ料理」のうち「イタリア料理」までが指定される。すなわち、享受物に応じてステップＳ１２３２で決定される条件の分類の階層の深さは異なる。なお、図４のステップＳ１２３０，Ｓ１２３２の機能を奏する主制御部２１０の機能部を、図１において、条件決定部２３２ｃとして示す。
【０１１３】
ステップＳ１２３４では、ユーザがカーソルキー２０６ｂの中央のキーを押すと、情報検索が実行される。その際、検索の条件は、ステップＳ１２３０で決定された地理に関する検索条件と、Ｓ１２３２で決定された享受物の分類に関する検索条件とに従う。たとえば、あらかじめ大分類「グルメ」および小分類「ラーメン」に含まれるものとして登録されている店舗のうち、特定領域Ａ１内に存在する店舗の情報が検索される。
【０１１４】
図１０は、ステップＳ１２３４の検索の結果を示す画像である。ステップＳ１２３６では、現在位置がその近傍にある特定領域（ステップＳ１２０４参照）、またはユーザが指定した特定領域（ステップＳ１２２２参照）において、享受物を享受できる場所のリストが提示される。ここでは、特定領域Ａ１内にあるラーメン屋のリストが提示される。なお、ステップＳ１２３４，Ｓ１２３６の機能を奏する主制御部２１０の機能部を、図１において、情報検索部２３２ｄとして示す。
【０１１５】
なお、携帯電話２００は、主制御部２１０のＲＡＭ内に格納された経路データに基づいて、上記のような情報検索を行ってもよいし、経路探索サーバ１００や領域情報サーバ１８０に情報検索を指示して入手したデータに基づいてそのような検索結果の提示を行ってもよい。すなわち、検索対象のデータベースは、経路データを格納する主制御部２１０のＲＡＭであってもよいし、領域情報サーバ１８０の領域データベース１８６であってもよい。なお、享受物の分類に関する情報は、領域データベース１８６内の特定領域の情報にあらかじめ含まれている。経路データに基づいて上記の情報検索を行う態様においては、経路データ内の特定領域の情報にも、享受物の分類に関する情報が含まれている。
【０１１６】
その後、ユーザは、リスト中から個々の要素を選択して、その要素のさらに詳細な情報を入手することができる。具体的には、携帯電話２００のカーソルキー２０６ｂを操作して、図１０のリストのうちの一つを選択しクリックすると、個々のラーメン店の紹介が表示パネル２０２上に表示される。その際、表示パネル２０２上には、「再探索」ボタンおよび「戻る」ボタンも表示される（いずれも図示せず）。
【０１１７】
図４のステップＳ１２３８では、再探索ボタンが押されたか否かが判定される。再探索ボタンが押されていない場合は、そのまま所定時間だけ待機して再びステップＳ１２３８の判定を行う。なお、個々のラーメン店の紹介の画面において「戻る」ボタンが押された場合には、再び図１０の表示に戻る。
【０１１８】
ステップＳ１２３８において「再探索」ボタンが押されると、ステップＳ１２４０において、その地点（ラーメン店）を経由して目的地に至るルートを検索する旨の指示が携帯電話２００に入力される。
【０１１９】
その後、ユーザが指定した地点（ラーメン店）を経由して目的地に至るルートを検索する旨の指示が、携帯電話２００から経路探索サーバ１００に送信される。その後の経路データの生成の処理は、図３で説明したとおりである。
【０１２０】
このような態様とすることで、ユーザは、目的地に向かう道程において、容易に経路を変更して寄り道をすることができる。また、寄り道がまず領域として案内されるため（図５参照）、寄り道の候補の近傍を通過してしまう可能性が低く、通過した領域を引き返すことなく享受物を享受できる地点に寄り道できる可能性が高い。
【０１２１】
なお、本実施例における携帯電話２００が、「課題を解決するための手段」における「情報提供装置」に相当する。ＧＰＳユニット２０１が、「指定位置取得部」に相当する。携帯電話２００のＲＡＭが、「記憶部」に相当する。携帯電話２００のＣＰＵが、「制御部」に相当する。
【０１２２】
そして、図５〜図８において示されている地点表示Ｐｅ１１〜Ｐｅ１５，Ｐｅ２１〜Ｐｅ２７，Ｐｅ３１〜Ｐｅ３４，Ｐｅ４１〜Ｐｅ４４，Ｐｅ５１〜Ｐｅ５７が、「課題を解決するための手段」における「対象地点表示」に相当する。図５〜図８において示されている現在位置を示すアイコンをＰＰが、「指定位置表示」に相当する。
【０１２３】
なお、本実施例においては、対象地点表示（Ｐｅ１１〜１５など）を表示部に表示する動作モードについて説明した。対象地点表示を表示部に表示しない動作モードについては、変形例８において説明する。
【０１２４】
Ｂ．第２実施例：
第１実施例では、図４のステップＳ１２０４では、特定領域の享受物に関する表示ＤＭ１と、個々の場所の情報を検索させるためのボタンＢ０１と、他の特定領域を検索させるためのボタンＢ０２と、が表示され（図５およ図７（ａ）参照）、ボタンＢ０１が押された後に、享受物を享受できる場所のリストが提示される（図１０参照）。しかし、図４のステップＳ１２０４において、特定領域や個々の地点の表示とともに、それらの地点に関連する情報を提示する態様とすることもできる。
【０１２５】
第２実施例の経路探索システムにおいては、図３のステップＳ３１０で経路探索サーバに渡される特定領域の情報に、その特定領域で享受できる享受物に関する情報（たとえば「ラーメン」）、およびその特定領域内で享受物を享受できる各地点の名称に関する情報（たとえば、ラーメン店の店舗名）が含まれる。それらの情報は、経路探索サーバ１００が生成する経路データに含まれ、携帯電話２００のＲＡＭに格納される（図３のステップＳ２３０，２４０参照）。図４のステップＳ１２０４では、それらの情報に基づいて、特定領域や個々の地点の表示とともに、その特定領域で享受できる享受物、および各地点の名称が表示される。第２実施例の経路探索システムの他の点は、第１実施例の経路探索システムと同じである。
【０１２６】
図１１は、第２実施例において、ルートガイド中にユーザに特定領域を紹介するために携帯電話２００の表示パネル２０２上に表示される画像ＩＤ２を示す図である。第２実施例においては、ステップＳ１２０４において、近傍の特定領域の表示とともに、その特定領域の表示と関連づけられた情報を表す画像ＩＤ２が表示される。画像ＩＤ２は、享受物に関する表示ＩＤ２１（図７（ａ）において「ラーメン」）と、各地点に関する表示ＩＤ２２（図７（ａ）において、店舗名「１．金の蔵」〜「４．麺屋青山」）とが表示される。なお、ここでは、表示ＩＤ２２においては、特定領域Ａ３内のすべての店舗の名称が表示されている。しかし、特定領域Ａ３内の地点の数が所定数より多い場合には、そのうちの一部（たとえば、５件などの一定数）のみの情報を表示する。
【０１２７】
このような態様とすれば、ユーザは、地点検索の操作を行うことなく（図４のステップＳ１２０８参照）、享受物を享受できる場所の情報を得ることができる。このため、たとえば、リスト表示ＩＤ２２内に記憶にある有名店の名称がある場合などには、画像ＩＤ２をきっかけにその店舗を訪問することができる。
【０１２８】
Ｃ．第３実施例：
第１実施例では、図４のステップＳ１２２０において表示パネル２０２上に表示される範囲ＳＤ２は、図３のステップＳ３１０において特定領域の決定に使用された領域Ｒ０ｆ内に含まれる範囲である（図２参照）。そして、ステップＳ１２２０においては、表示パネル２０２に表示される範囲に含まれるすべての特定領域が表示される（図８のＳＤ２参照）。しかし、第３実施例では、ステップＳ１２２０において、画面に表示される範囲に含まれるすべての特定領域が表示されるわけではない。すなわち、第３実施例は、ステップＳ１２２０の処理が第１実施例とは異なる。第３実施例の他の点は、第１実施例と同じである。
【０１２９】
図１２は、第３実施例において、図４のステップＳ１２２０で表示パネル２０２上に表示される画面の一例を示す図である。なお、図１２において、図２および図８中の要素と同じ符号が付されている要素は、図２および図８中の要素と同じ要素である。
【０１３０】
第３実施例では、ステップＳ１２２０において、範囲Ｒ０ｇと一部または全部が重なる特定領域であって、ステップＳ１２０４で領域紹介した特定領域と同じ享受物を享受できる特定範囲が表示パネル２０２上に示される。
【０１３１】
範囲Ｒ０ｇは、（ｉ）現在位置ＰＰを中心として距離Ｗ１より小さい所定の距離Ｗ２（たとえば５００ｍ）の半径を有する第１の円と、（ｉｉ）経路が表示範囲ＳＤ２と交差する点ＰＦを中心として距離Ｗ２の半径を有する第２の円と、経路Ｒ０を中心に両側に距離Ｗ２だけの幅を有する領域であって、第１の円と第２の円の間の領域と、からなる領域である。この領域Ｒ０ｇは、経路の近傍５００ｍ以内の範囲であって、現在位置ＰＰと、現在位置ＰＰよりも下流側の経路Ｒ０の一部を含む。なお、本明細書では、経路における「下流側」とは、経路上の所定の基準点に対して、その経路における進行方向の側にあることをいう。本明細書において、領域Ｒ０ｇを一般化して「第２の範囲」と呼ぶことがある。
【０１３２】
その結果、第３実施例では、ステップＳ１２２０において、表示パネル２０２上に表示される特定領域は、特定領域Ａ１〜Ａ３である。そして、特定領域Ａ４，Ａ５は表示されない。なお、図１２において、参考までに特定領域Ａ４，Ａ５を破線で示す。このような態様とすれば、ユーザは、経路を大きく外れることなく寄り道できる特定範囲の中から特定範囲を選択することができる。
【０１３３】
Ｄ．変形例：
なお、この発明は上記の実施例や実施形態に限られるものではなく、その要旨を逸脱しない範囲において種々の態様において実施することが可能であり、例えば次のような変形も可能である。
【０１３４】
Ｄ１．変形例１：
上記実施例では、経路案内を行っている際に、図４の処理が行われる。しかし、特定領域の紹介は、表示パネル２０２上に地図とともに現在位置を表示させつつ、ユーザが移動している際に行うこともできる。そのような態様においては、携帯電話２００は、図３のステップＳ１１０において、現在位置情報を経路探索サーバ１００に送信して、経路探索サーバ１００に、現在位置の近傍の所定の範囲にある特定領域の情報を要求する。
【０１３５】
経路探索サーバ１００は、ステップＳ２２０において、取得した携帯電話２００の現在位置の情報とともに、特定領域の情報を領域サーバに要求する。経路探索サーバ１００は、ステップＳ２３０で、携帯電話２００の現在位置周辺の特定領域の情報を入手して、ステップＳ２４０で携帯電話２００に送信する。
【０１３６】
携帯電話２００は、ステップＳ１２０で、経路探索サーバ１００から、現在位置の近傍の所定の範囲にある特定領域の情報を取得する。そして、携帯電話２００は、現在位置の移動とともに、図４のステップＳ１２０２以下の処理を実行する。ただし、その際、経路Ｒ０の表示は行われない。
【０１３７】
このような態様としても、ユーザは、移動中に、特定領域およびその特定領域に含まれる各地点に関する情報を容易に入手することができる。
【０１３８】
Ｄ２．変形例２：
上記実施例においては、現在位置がその近傍にある特定領域を通過した時に、近傍の特定領域を表す表示と、その特定領域に含まれる個々の場所を表す表示を、より薄い色の表示に変更する（図４のステップＳ１２１４，Ｓ１２１６、ならびに図７（ｂ）参照）。しかし、現在位置がその近傍にある特定領域を通過した後も、所定の時間が経過した、または、現在位置が所定の距離を移動した、などの所定の条件が満たされるまでは、それまでと同じ濃度で、特定領域およびその中の各地点を表示することとしてもよい。
【０１３９】
また、上記実施例では、ある特定領域に対して指定位置（上記実施例では「現在位置」）が接近しており、特定領域やその中の地点が濃い色で表現される区間（図７のＰ１１，Ｐ２１参照）や、ある特定領域に対して指定位置が遠ざかっており、特定領域やその中の地点がより薄い色で表現される区間（図７のＰ１２，Ｐ２２参照）を、「時間区間」として説明した。しかし、指定位置は時間の進行に応じて地図上を移動するため、これらの区間は、地理上または地図上の区間として把握することもできる。すなわち、指定位置が、たとえば経路に沿って、地図上を移動しているとき、ある特定領域の手前の地理的区間に指定位置があるときには、特定領域やその中の地点が濃い色で表現される。そして、指定位置が、たとえば経路に沿って地図上を移動しているとき、ある特定領域の先の地理的区間に指定位置があるときには、特定領域やその中の地点はより薄い色で表現される。
【０１４０】
すなわち、現在位置がその特定領域や地点に接近しているなんらかの第１区間において、その特定領域に含まれる地点を第１の濃度で表示し、その後、現在位置がその特定領域や地点から遠ざかっているなんらかの第２区間において、第１の濃度よりも薄い第２の濃度で表示する態様であればよい。そのような態様とすれば、ユーザは、既に通過した領域や地点の表示に煩わされることなく、進行方向に存在する領域や地点の表示に集中することができる。
【０１４１】
なお、同一の特定領域に含まれる複数の地点の表示については、同時に濃度を切り換えてもよい。たとえば、第１実施例のように、特定領域の表示の濃度の切換と同時に濃度を切り換えてもよい。一方、その地点が含まれる特定領域については一定の濃度で表示されている間にも、その特定領域に含まれる個々の地点の表示の濃度は、切り換える態様とすることもできる。すなわち、その地点が含まれる特定領域については一定の濃度で表示されている間にも、現在位置がその地点に接近しているときには、その地点を濃度の高い色で表示し、現在位置がその地点から遠ざかっているときには、濃度の低い色で表示すこともできる。
【０１４２】
なお、上記実施例においては、現在位置がその近傍にある特定領域を通過した時に、近傍の特定領域を表す表示と、その特定領域に含まれる個々の場所を表す表示を、より薄い色の表示に変更する（図４のステップＳ１２１４，Ｓ１２１６参照）。しかし、表示を、より薄い色の表示に変更するきっかけは、他の事象とすることもできる。
【０１４３】
たとえば、主制御部２１０は、各特定領域や、特定領域に含まれる地点の少なくとも一部について、現在位置との間の距離を繰り返し計算する態様とすることができる。そして、その距離が増大している特定領域や地点については、画面上において濃い色で表示し、その距離が減少している特定領域や地点については、画面上においてより薄い色で表示する態様とすることもできる。
【０１４４】
すなわち、享受物を享受できる地点であって現在位置が接近している地点を第１の濃度で表示し、享受物を享受できる地点であって現在位置がそこから遠ざかっている地点を第１の濃度よりも薄い第２の濃度で表示する態様とすることができる。
【０１４５】
また、上記実施例においては、現在位置がその特定領域や地点から遠ざかっている時間区間において、先の表示の濃度よりも薄い濃度で表示を行う（図４のステップＳ１２１４，Ｓ１２１６、ならびに図７（ｂ）参照）。しかし、現在位置がその特定領域や地点に接近している時間区間において、その特定領域に含まれる地点を表示し、その後、表示を消して、現在位置がその特定領域や地点から遠ざかっている時間区間において、その表示を行わない態様とすることもできる。そのような態様とすれば、より表示部の表示を簡潔なものとすることができる。よって、ユーザは、既に通過した領域や地点の表示に煩わされることなく、進行方向に存在する領域や地点の表示に集中することができる。
【０１４６】
さらに、上記実施例においては、特定領域と特定領域に含まれる地点とが表示される（図５〜図８参照）。しかし、特定領域を画面上に表示せず、特定領域に含まれる地点を表示する態様とすることもできる。その際、地点に享受物の名称が表示されるような態様としても、ユーザは、既に通過した地点の表示に煩わされることなく、進行方向に存在する地点の表示に集中することができる。また、表示する名称は領域内地点検索で用いられるカテゴリ（ジャンル）別に異なる色を用いて表示することにより、分かりやすく表示することもできる。
【０１４７】
また、上記実施例においては、特定領域や、特定領域に含まれる享受物を享受できる地点が、地図画像とともに表示される（図５〜図８参照）。しかし、地図画像を表示せず、特定領域や、特定領域に含まれる享受物を享受できる地点と、現在位置とを画面上に表示する態様とすることもできる。そのような態様としても、ユーザは、既に通過した地点の表示に煩わされることなく、進行方向に存在する地点の表示に集中することができる。ただし、そのような態様においては、縮尺を表示することが好ましい。
【０１４８】
Ｄ３．変形例３：
なお、上記実施例では、ＧＰＳを利用する態様について説明したが、現在位置の情報の生成は、ＧＬＯＮＡＳＳ（ＧｌｏｂａｌＮａｖｉｇａｔｉｏｎ Ｓａｔｅｌｌｉｔｅ Ｓｙｓｔｅｍ）、Ｇａｌｉｌｅ ｏなどのＧＰＳ以外の他の衛星測位システム（Ｓａｔｅｌｌｉｔｅ  Ｎａｖｉｇａｔｉｏｎ  Ｓｙｓｔｅｍ）、言い換えれば、世界的航法衛星システム（ＧＮＳＳ：Ｇｌｏｂａｌ  Ｎａｖｉｇａｔｉｏｎ  Ｓｙｓｔｅｍ）によってもよい。また、たとえば、移動端末における位置情報の生成は、携帯電話の基地局のみに基づいて、行ってもよい。そのような態様においては、移動端末は、世界的航法衛星システムの受信装置を備えない態様とすることができる。さらに、移動端末において位置情報を生成する構成要素は、複数の方式、たとえば、衛星測位システムを利用した方式と、携帯電話の基地局を利用する方式を併用する態様とすることもできる。
【０１４９】
すなわち、移動端末において位置情報を生成する構成要素は、現在位置の情報を特定できるものであれば、どのような原理に基づくもの、どのような機関が運営するシステムを利用するものであってもよい。
【０１５０】
Ｄ４．変形例４：
地図サーバ１５０の地図データベース１５６内に格納されている画像データとしての地図画像データは、ラスタデータとして保持されていてもよいし、ベクトルデータとして保持されていてもよい。ユーザが携帯する端末装置としての携帯電話２００に送信される地図画像データも、ラスタデータであってもよいし、ベクトルデータであってもよい。さらに、地図データベース１５６内の地図画像データと、端末装置に送信される地図画像データは、いずれか一方をベクトルデータとし、他方をラスタデータとすることもできる。
【０１５１】
Ｄ５．変形例５：
上記実施例では、日本の地理上の全領域が所定の大きさの長方形（正方形）の区画に区切られ、その区画の組み合わせで特定領域が定められている。しかし、特定領域は、地理上において一部の領域を任意の形状で特定したものとすることもできる。
【０１５２】
Ｄ６．変形例６：
上記実施例では、おいしいラーメン屋が多い特定領域Ａ１〜Ａ５を例に説明を行った。そして、上記実施例では、特定領域の形状は縮尺によらず一定である。しかし、特定領域は、たとえば、縮尺に応じて複数種類、用意することができる。
【０１５３】
たとえば、領域データベース１８６は、特定領域の情報を、携帯電話２００の表示パネル２０２に経路を表示する際の地図の縮尺に応じて複数種類、保持することができる。すなわち、表示パネル２０２に狭い範囲を示す第１の縮尺に対応する特定領域と、表示パネル２０２により広い範囲を示す第２の縮尺に対応する特定領域とは、異なるものとすることができる。たとえば、第１の縮尺に対応する特定領域として、複数の特定領域を保持し、第２の縮尺に対応する特定領域としては、それら複数の特定領域を包含する一つの特定領域を保持する態様とすることもできる。
【０１５４】
そのような態様とすれば、地図上に特定領域を表示する際に表示が煩雑になるのを防止することができる。経路探索サーバ１００は、携帯電話２００に送信される経路データに、それら複数種類の特定領域の情報を含ませることが好ましい。そして、出力端末としての携帯電話２００は、地図の縮尺に応じて表示する特定領域を変えることが好ましい。
【０１５５】
また、領域データベース１８６は、特定領域および特定領域に含まれる地点（以下、「特定領域等」と表記する）の情報を、経路の移動手段に応じて保持することもできる。領域データベース１８６は、たとえば、歩行のための特定領域等の情報と、自転車のための特定領域等の情報と、自動車のための特定領域等の情報と、をそれぞれ保持することができる。
【０１５６】
そして、長距離の移動に適さない第１の移動手段（たとえば徒歩や自転車）で移動すべき区間においては、個々の特定領域が小さく（細かく）設定された複数の特定領域の中から近傍領域を選択し、第１の移動手段よりも長距離の移動に適した第２の移動手段（たとえば自動車）で移動すべき区間においては、個々の特定領域がより大きく（大まかに）設定された特定領域の中から近傍領域を選択することができる。
【０１５７】
また、たとえば、移動手段が自動車である場合には、駐車場を備えない店舗や景勝地の情報や、居酒屋やバーなどのアルコール飲料の提供を主目的とする店舗の情報は、表示しない態様とすることもできる。
【０１５８】
なお、その際、経路の「近傍」にあるか否かの判定の基準となる距離も、移動手段に応じて変更することが好ましい。すなわち、長距離の移動に適さない第１の移動手段で移動すべき区間においては、近傍の判定の基準となる距離は、短くし、長距離の移動に適した第２の移動手段で移動すべき区間においては、近傍の判定の基準となる距離は、第１の移動手段の場合よりも長くすることが好ましい。
【０１５９】
そして、経路が異なる移動手段で移動すべき区間を含む場合には（図３のステップＳ２１０参照）、経路探索サーバ１００は、図３のステップＳ２３０において、経路データに、各区間の移動手段に応じた特定領域の情報を含ませる。このような態様とすれば、ルートガイドにおいて、移動手段に応じた寄り道しやすい範囲にある特定領域を紹介することができる。
【０１６０】
なお、ユーザの移動手段は、あらかじめユーザに入力させて、主制御部２１０のＲＡＭや経路探索サーバ１００、領域情報サーバ１８０などの記憶手段に記憶させておくことができる。また、移動速度や、高速道路上を移動したか否か、線路上を移動したか否かの情報に基づいて、ユーザの移動手段を、情報提供装置が推定し、主制御部２１０のＲＡＭや経路探索サーバ１００、領域情報サーバ１８０などの記憶手段に記憶させておくことができる。
【０１６１】
Ｄ７．変形例７：
上記実施例では、図３のステップＳ３１０において経路の近傍の特定範囲を選択する際に、「経路の近傍の所定の範囲」として、経路を中心に両側に所定の距離Ｗ１だけの幅を有する領域を採用している（図２参照）。しかし、「経路の近傍の所定の範囲」は、この態様に限られない。たとえば、経路を中心に両側に所定の距離Ｗ１だけの幅を有する領域内に川を含む場合には、川を挟んで経路と逆の側は、橋の近傍を除いて「経路の近傍の所定の範囲」に含めないこととすることもできる。すなわち、「経路の近傍の所定の範囲」は、あらかじめ定められた基準に従って設けられた範囲であって、経路を含む所定の範囲とすることができる。
【０１６２】
また、上記実施例では、図４のステップＳ１２０２において、現在位置が特定領域の近傍にあるか否かを判定する際に、「特定領域（近傍領域）の近傍の所定の範囲」として、「特定領域の外縁からさらに一定の距離だけ特定領域の外部に向かう方向に離れた外縁を有する所定の領域」を採用している。しかし、「特定領域（近傍領域）の近傍の所定の範囲」は、この態様に限られない。すなわち、「特定領域（近傍領域）の近傍の所定の範囲」は、あらかじめ定められた基準に従って設けられた範囲であって、特定領域（近傍領域）を含む所定の範囲とすることができる。
【０１６３】
Ｄ８．変形例８：
高速道路や、あらかじめ定められた駅で停止する電車などの交通機関を利用して移動すべき区間を経路が含む場合には、以下のような処理を行うことが好ましい。以下では図２を使用して処理の内容を説明する。
【０１６４】
図２において、ｉ１，ｉ２は高速道路のインターチェンジである。そして、インターチェンジｉ１が、経路において高速道路に乗るべきインターチェンジである。インターチェンジｉ２が、高速道路を降りるべきインターチェンジである。図２においては、高速道路を利用するインターチェンジｉ１，ｉ２間を経路の他の部分に比べて太い線で示している。
【０１６５】
図３のステップＳ２２０では、経路探索サーバ１００は、領域情報サーバ１８０から受け取った特定領域の中から所定の条件を満たす特定領域を選択する。たとえば、高速道路に乗るべきインターチェンジｉ１の近傍の所定の範囲Ｒｉ１、または高速道路を降りるべきインターチェンジｉ２の近傍の所定の範囲Ｒｉ２と重なる特定領域Ａ２は選択される。なお、ここでは、インターチェンジの近傍の範囲は、インターチェンジを中心とする所定の大きさの半径の円である。
【０１６６】
これに対して、高速道路上の経路の近傍の特定領域であっても、範囲Ｒｉ１，Ｒｉ２と重ならない特定領域Ａ３は選択されない。その結果、ルートガイドにおいては、高速道路に乗るべきインターチェンジｉ１および高速道路を降りるべきインターチェンジｉ２の近傍の特定領域Ａ２について領域紹介が行われ、途中の区間の近傍にある特定領域Ａ３については、領域紹介は行われない。
【０１６７】
同様に、経路の乗車駅および降車駅近傍の所定の範囲と重なる特定領域は選択され、経路の近傍の特定領域であっても、乗車駅または降車駅近傍の所定の範囲と重ならない特定領域は選択されない態様とすることができる。その結果、ルートガイドにおいては、乗車駅および降車駅近傍の特定領域について領域紹介が行われ、途中の区間の近傍にある特定領域については、領域紹介は行われない。なお、乗車駅、降車駅の情報は、経路探索サーバ１００が経路探索を行った際に、ユーザが利用すべき列車として特定された列車の情報から得ることができる。
【０１６８】
このような態様とすることで、寄り道をすることができない特定領域、または寄り道をする可能性が低い特定領域については、ルートガイドの際に紹介しないようにすることができる。このため、ユーザは、ルートガイドの際に、不要な特定領域の紹介によって煩わされることがない。
【０１６９】
なお、高速道路に乗るインターチェンジと高速道路を降りるインターチェンジとの間の途中のインターチェンジの近傍の所定の範囲と重なる特定領域もステップＳ２２０において選択される態様とすることもできる。そのような態様においては、ルートガイドにおいて、高速道路に乗るインターチェンジ、高速道路を降りるインターチェンジに加えて途中のインターチェンジの近傍の特定領域についても領域紹介が行われる。そのような態様とすれば、ユーザは、高速道路を途中のインターチェンジで降りて寄り道をすることができる。
【０１７０】
同様に、乗車駅と降車駅の間の乗換駅や停車駅の近傍の所定の範囲と重なる特定領域も、ステップＳ２２０において選択される態様とすることもできる。そのような態様においては、ルートガイドにおいて、乗車駅および降車駅に加えて途中の乗換駅や停車駅の近傍の特定領域についても領域紹介が行われる。そのような態様とすれば、ユーザは、交通機関を途中下車して寄り道をすることができる。ここで、乗換駅や停車駅としてはユーザによって予め登録されている駅を採用してもよい。例えば、ユーザが所有する定期券の乗車駅または降車駅等の近傍の特定領域について、領域紹介が行われる。なお、乗換駅や停車駅の情報は、経路探索サーバ１００が経路探索を行った際に、ユーザが利用すべき列車として特定された列車の情報から得ることができる。
【０１７１】
なお、経路案内を行わずに、地図上に現在位置のみを表示させている利用態様においては、以下のような態様とすることができる。すなわち、経路探索システムは、現在位置が高速道路上にあるか否かの判定を行い、現在位置が高速道路上にある場合には、現在位置近傍の特定領域のうち、インターチェンジ近傍の特定領域のみの紹介を行う。
【０１７２】
また、経路探索システムは、現在位置が鉄道などの交通機関の路線上にあるか否かの判定を行う。そして、現在位置が高速道路上にある場合には、さらに、ユーザが利用している列車をダイヤの情報に基づいて特定する。そして、現在位置近傍の特定領域のうち、停車駅近傍の特定領域のみの紹介を行う。
【０１７３】
Ｄ９．変形例９：
なお、上記実施例では、経路を移動する際の日付が、ある特定領域の特徴が発揮される時間外である場合には、領域情報サーバ１８０は、その特定領域が経路の近傍にあるものであっても、その特定領域を選択しない（図３のステップＳ３１０参照）。しかし、日付に基づく特定領域の選択は、経路探索サーバ１００において行うこともできる。
【０１７４】
また、ユーザに紹介される特定領域は、ユーザによる享受物の選択によって、選択されることもできる。すなわち、領域データベース１８６がデータを保持している特定領域の享受物のうち、ユーザが紹介されることを望まない享受物を、あらかじめ携帯電話２００のコマンド入力部２０６を介して経路探索システムに入力させる（図１参照）。そして、経路探索サーバ１００は、ユーザが紹介されることを望まない享受物の情報を携帯電話２００から受け取る。なお、ユーザが紹介されることを望まない享受物の情報は、ユーザによって解除されない限り、携帯電話２００から表示されることはない。
【０１７５】
経路探索サーバ１００は、経路の近傍の特定領域の情報を領域情報サーバ１８０に問い合わせる際に（図３のステップＳ２２０）、ユーザが紹介されることを望まない享受物の情報を領域情報サーバ１８０に送信する。領域情報サーバ１８０は、ステップＳ３１０で、ユーザが紹介されることを望まない享受物に対応する特定領域を除いて、経路の近傍の特定領域を決定する。このような態様とすれば、ユーザは、望まない享受物についての特定領域の情報を提供されることがない。なお、ユーザが紹介されることを望まない享受物に基づく特定領域の選択は、領域情報サーバ１８０に代わって経路探索サーバ１００または携帯電話２００が行ってもよい。
【０１７６】
Ｄ１０．変形例１０：
上記実施例では、特定領域の享受物は、おいしいラーメン、美しい紅葉など、ユーザにとって好ましいと思われるものである。しかし、特定領域の享受物は、ユーザにとって好ましくないと思われるものも含むことができる。たとえば、「交通事故が所定回数以上あった地点の多い特定領域」や「渋滞が起こる地点が多い特定領域」を紹介する態様とすることもできる。そのような態様とすれば、ユーザは、より慎重に自動車の運転を行い、路上駐車をしたり、脇道にそれるのをやめて、その特定領域を安全かつ短時間で通過することができる。
【０１７７】
Ｄ１１．変形例１１：
なお、ユーザの移動手段を特定することができる態様においては、ユーザの移動手段に応じて、表示部に表示する地点を決定することが好ましい。たとえば、移動手段が自動車である場合には、駐車場を備えない店舗や景勝地の情報や、居酒屋やバーなどのアルコール飲料の提供を主目的とする店舗の情報は、表示しない態様とすることもできる。
【０１７８】
なお、ユーザの移動手段は、あらかじめユーザに入力させて、主制御部２１０のＲＡＭや経路探索サーバ１００、領域情報サーバ１８０などの記憶手段に記憶させておくことができる。また、移動速度や、高速道路上を移動したか否か、線路上を移動したか否かの情報に基づいて、ユーザの移動手段を、情報提供装置が推定することもできる。
【０１７９】
Ｄ１２．変形例１２：
上記実施例では、移動案内に使用される画像データや音声データ等、案内地点の位置を表すデータは、経路データを生成する際に経路データに含まれる。しかし、それらのデータは、すべてがあらかじめ経路データに含まれているのではなく、経路上を現在位置が進行するのに応じて、少なくとも一部が経路探索サーバ１００や他のサーバから取得される態様とすることもできる。
【０１８０】
Ｄ１３．変形例１３：
上記第２実施例では、図４のステップＳ１２２０で表示パネル２０２に表示される特定領域は、円と円を経路Ｒ０に沿って結んだ範囲Ｒｇと重なる特定領域である。しかし、図４のステップＳ１２２０で提示される特定領域は、他の基準で選択することもできる。たとえば、円形の範囲であって、現在位置を円の直径の一端とし、所定の大きさの直径を有し、直径の他端を現在位置よりも下流の経路上に有する円形の範囲と重複する特定領域を選択することもできる。すなわち、ステップＳ１２０４で紹介された特定領域と同じ享受物が得られる特定領域としてステップＳ１２２０で提示される特定領域は、現在位置と、経路のうち現在位置よりも下流側の一部と、を含む所定の形状の範囲と重なる特定領域とすることができる。
【０１８１】
Ｄ１４．変形例１４：
上記実施例では、図４のステップＳ１２２０において、享受物を享受できる地点を１０００平方メートルあたり１地点以上有している特定領域は濃いピンクで表示され、そうではない特定領域は薄いピンクで表示される（図８，図１２参照）。しかし、特定領域は、他の態様で表示されることができる。
【０１８２】
たとえば、享受物を享受できる地点の密度に応じて特定領域に３段階以上の区分を設け、その区分に応じて異なる色や、パターン（ドットやハッチなど静的パターンや、点滅や色変化などの動的パターンを含む）や、形状で特定領域や地点を表示することができる。その際、享受物を享受できる地点の密度が高い特定領域は、密度が低い特定領域よりも濃い色で表示されることが好ましい。ここで、「特定の色よりも濃い色」とは、「特定の色と色相と彩度が同じで明度が低い色」のみを指すものではない。すなわち、「特定の色よりも濃い色」とは、（ｉ）特定の色と色相が同じで明度が低いという条件と、（ｉｉ）特定の色と色相が同じで彩度が高いという条件と、の少なくとも一方を満たす色である。
【０１８３】
また、享受物を享受できる地点の密度が異なる複数の特定領域を、密度に応じて３色以上の色を使い分けて表示する場合には、第１の色と第２の色の関係と、第２の色と第３の色の関係は異なっていてもよい。たとえば、第２の色は、第１の色と色相が同じで明度が低い色であり、第３の色は、第２の色と色相が同じで彩度が高い色であってもよい。また、その際の色相も、赤（ピンク）以外に、青や緑などさまざまな色相とすることができる。
【０１８４】
そして、最初にユーザに提示される特定領域（図５、図８および図１２の特定領域Ａ１参照）と、その後、代替候補として示される特定領域（図８および図１２の特定領域Ａ２〜Ａ５参照）とは、異なる色相の色で表示されることができる。ただし、最初にユーザに提示される特定領域と代替候補として示される特定領域が同じ色相の色で表示されてもよい。
【０１８５】
ただし、現在位置が接近している特定領域は、現在位置がそこから遠ざかっている特定領域に比べて濃い色で表現されることが好ましい。
【０１８６】
Ｄ１５．変形例１５：
上記実施例では、ボタンＢ０１をクリックすると（図６参照）、特定領域の享受物をユーザが享受できる場所のリストが提示される（図１０参照）。このリストは、複数種類の特定領域が重複する領域内またはその近傍に現在位置があるときには、複数表示される。そのような場合には、たとえば、享受物に関する表示（図５の表示ＤＭ１参照）は、「このあたりは、おいしいラーメン屋が多い地域です。このあたりは、紅葉が美しい地域です。」などといった複数種類の情報を提供する表示とすることができる。そして、ボタンＢ０１が押されると、ラーメン屋のリストと、美しいモミジの木がある地点のリストが提示される。このような態様とすれば、よりユーザの利便性を向上させることができる。
【０１８７】
なお、享受物に関する表示が複数の享受物に関する情報を提供する表示である場合には、享受物をユーザが享受できる個々の場所を提示させるためのボタンが、享受物ごとに表示される態様とすることもできる。そのような態様においては、各ボタンが押されると、対応する享受物のリストが表示される。
【０１８８】
Ｄ１６．変形例１６：
なお、図５〜図７の状態において、地図上に表示された享受物を享受できる地点を、コマンド入力部２０６を操作することでユーザが選択できる態様とすることが好ましい。ユーザは、図４のステップＳ１２３６において、地図上に表示された各地点を選択して、詳細な情報を入手することができる。なお、複数種類の特定領域が重複する領域内またはその近傍に現在位置があるときには、享受物を享受できる各地点は、異なる色または形状の印で地図上にプロットされることが好ましい。
【０１８９】
また、上記第１実施例では、図５〜図７の状態においてボタンＢ０１を押すことによって、特定領域内において享受物を享受できる個々の場所に関する情報検索の指示が、経路探索システムに対して行われる。しかし、コマンド入力部２０６を操作して、地図上に表示された特定領域を選択することにより、特定領域内における個々の場所に関する情報検索の指示が入力される態様とすることもできる。そのような態様においては、たとえば、カーソルキー２０６ｂの上下左右の部分を押すことにより一つの特定領域を選択し、カーソルキー２０６ｂの中央部分を押すことにより、その特定領域内における個々の場所の情報検索の指示を入力できるようにすることができる。地図上に表示された特定領域を選択することにより情報検索の指示が入力される態様においては、図４のステップＳ１２０８の判定も、特定領域を選択することにより情報検索の指示が入力されたか否かに基づいて行われる。
【０１９０】
Ｄ１７．変形例１７：
上記実施例では、ＧＰＳユニット２０１から得られる現在位置情報に基づいて、実際に現在位置が特定領域近傍に位置したことを検知して、領域紹介が行われる。しかし、領域紹介は、実際の現在位置とは無関係に、現在位置に相当する指定位置を経路に沿って移動させるシミュレーションを行いつつ実行することもできる。そのような態様においても、シミュレーションにおいて制御部が現在位置として指定する指定位置が特定領域近傍に位置した状態となった際に、領域紹介を行うことができる。このような態様とすれば、ユーザは、目的地までの経路を検討する際に、途中の寄り道を考えながら経路を検討することができる。
【０１９１】
また、現在位置に相当する指定位置を経路に沿って移動させるシミュレーションを行う態様以外にも、たとえば、ユーザがコマンド入力部２０６を操作して、表示パネル２０２に表示された経路の上またはその経路の近傍の所定の位置を指定した場合に、その近傍の特定領域の紹介をする態様とすることもできる。そのような態様とすれば、ユーザは、経路のうちの任意の地点に着目して、その周辺の特定領域の情報を短時間で入手することができる。すなわち、ユーザが着目している地点に、シミュレーションにおける指定位置が到達するのを待つ必要がない。
【０１９２】
このように、「指定位置」は、情報提供装置が現在いる現在位置であってもよく、経路案内のシミュレーションを行う際の仮想的な「現在位置」であってもよく、さらに、ユーザによって指定された位置であってもよい。そして、指定位置情報は、ＧＰＳなどの衛星測位システムや携帯電話の基地局などの１以上の外部の施設から無線データ通信を介して取得することもでき、ＣＰＵにおいて経路案内のシミュレーションを行うシミュレーション部から取得することもでき、さらに、ユーザインターフェイス部を介してユーザから取得することもできる。
【０１９３】
なお、本変形例で説明した態様は、ＧＰＳユニットなどの現在位置情報を取得する構成要素を備えない構成とすることができる。
【０１９４】
Ｄ１８．変形例１８：
上記実施例においては、経路探索システムは、その構成要素として、経路探索サーバ１００と、地図サーバ１５０と、領域情報サーバ１８０と、携帯電話２００と、を含む。しかし、ユーザが携帯し、ＧＰＳユニットおよびディスプレイを備える携帯端末に、経路探索サーバ１００、地図サーバ１５０の機能を備える態様とすることもできる。さらに、携帯端末に、領域情報サーバ１８０の機能を備えることもできる。また、経路探索サーバ１００と、地図サーバ１５０とは、同じサーバであってもよい。そして、領域情報サーバ１８０が、経路探索サーバ１００と同じサーバであってもよい。なお、携帯端末は、電話機能を備えない機器としての、ＰＤＡ（Ｐｅｒｓｏｎａｌ  Ｄａｔａ  Ａｓｓｉｓｔａｎｔ）やノート型のコンピュータなどとすることもできる。すなわち、携帯端末は、ユーザが携帯でき、データに基づいてユーザに対して所定の出力を行うことができる装置であればよい。
【０１９５】
すなわち、案内装置としての経路探索システムは、その各構成要素が一つの筐体内に収納されている一つの装置であってもよい。また、経路探索システムは、その構成要素が、互いにデータ通信回線で結ばれている２以上の装置として構成されるものとすることもできる。経路データを生成する機能、特定領域を選択する機能などの各機能については、各装置に１以上の任意の機能を割り当てることができる。そして、各機能は、それぞれ一つの装置で実現されてもよく、２以上の装置が協働して実現してもよい。なお、２以上の構成要素が通信回線で結ばれている態様においては、ユーザに対して情報を出力する出力部は、ユーザに携帯されるものであることが好ましい。
【０１９６】
Ｄ１９．変形例１９：
上記実施例において、ハードウェアによって実現されていた構成の一部をソフトウェアに置き換えるようにしてもよく、逆に、ソフトウェアによって実現されていた構成の一部をハードウェアに置き換えるようにしてもよい。例えば、アプリケーションソフトウェア２１２（図１）の機能の一部を制御回路が実行するようにすることもできる。
【０１９７】
このような機能を実現するコンピュータプログラムは、磁気ディスクやＣＤ−ＲＯＭ等の、コンピュータ読み取り可能な記録媒体に記録された形態で提供される。ホストコンピュータは、その記録媒体からコンピュータプログラムを読み取って内部記憶装置または外部記憶装置に転送する。あるいは、通信経路を介してプログラム供給装置からホストコンピュータにコンピュータプログラムを供給するようにしてもよい。コンピュータプログラムの機能を実現する時には、内部記憶装置に格納されたコンピュータプログラムがホストコンピュータのマイクロプロセッサによって実行される。また、記録媒体に記録されたコンピュータプログラムをホストコンピュータが直接実行するようにしてもよい。
【０１９８】
この明細書において、ホストコンピュータとは、ハードウェア装置とオペレーションシステムとを含む概念であり、オペレーションシステムの制御の下で動作するハードウェア装置を意味している。コンピュータプログラムは、このようなホストコンピュータに、上述の各部の機能を実現させる。なお、上述の機能の一部は、アプリケーションプログラムでなく、オペレーションシステムによって実現されていても良い。
【０１９９】
なお、この発明において、「コンピュータ読み取り可能な記録媒体」とは、フレキシブルディスクやＣＤ−ＲＯＭのような携帯型の記録媒体に限らず、各種のＲＡＭやＲＯＭ等のコンピュータ内の内部記憶装置や、ハードディスク等のコンピュータに固定されている外部記憶装置も含んでいる。
【符号の説明】
【０２００】
１００…経路探索サーバ
１０２…通信部
１０４…制御部
１０６…記憶部
１１１…経路決定部
１１２…領域決定部
１１３…経路データ生成部
１５０…地図サーバ
１５２…通信部
１５４…制御部
１５６…地図データベース
１８０…領域情報サーバ
１８２…通信部
１８４…制御部
１８６…領域データベース
１８８…領域決定部
２００…携帯電話
２００５…特開
２０１…ＧＰＳユニット
２０２…表示パネル
２０３…音声出力部
２０４…振動機構
２０５…通信部
２０６…コマンド入力部
２０６ａ…テンキー
２０６ｂ…カーソルキー
２０９…時計部
２１０…主制御部
２１２…アプリケーションソフトウェア
２２０…通話制御部
２３１…経路準備ユニット
２３２…経路案内ユニット
２３２ａ…案内実行部
２３２ｂ…領域紹介部
２３２ｃ…条件決定部
２３２ｄ…情報検索部
２３３…地図情報準備ユニット
Ａ１〜Ａ５…特定領域
Ｂ０１…享受物を享受できる場所を検索させるためのボタン
Ｂ０２…現在位置がその近傍にあると判定された特定領域以外の特定領域を検索させるためのボタン
Ｂ０３…享受物を享受できる場所を検索させるためのボタン
ＤＣ１…大分類の選択肢
ＤＣ２…小分類の選択肢
ＤＭ１…表示
ＩＢ０１…入力ボックス
ＩＢ０３…検索ボタン
ＩＤ１…領域紹介における特定領域の享受物に関する表示
ＩＮＴ…インターネット
ＰＰ…現在位置
Ｒ０…経路
Ｒ０ｆ…経路Ｒ０近傍の領域
Ｒ１，Ｒ２…道路
Ｒｉ１…経路において高速道路に乗るべきインターチェンジ近傍の範囲
Ｒｉ２…経路において高速道路を降りるべきインターチェンジ近傍の範囲
ＳＤ１…ルートガイドにおいて表示パネル２０２に表示される範囲
ＳＤ２…ステップＳ１２２２において表示パネル２０２に表示される範囲
ＳＷ０１…検索窓
Ｗ１…経路の近傍の範囲Ｒ０ｆを定める距離
ｉ１…経路において高速道路に乗るべきインターチェンジ
ｉ２…経路において高速道路を降りるべきインターチェンジ
ｐｃ１…交差点
ｐｃ２…交差点
【図１】
2010286366.tif 000003
【図２】
2010286366.tif 000004
【図３】
2010286366.tif 000005
【図４】
2010286366.tif 000006
【図５】
2010286366.tif 000007
【図６】
2010286366.tif 000008
【図７】
2010286366.tif 000009
【図８】
2010286366.tif 000010
【図９】
2010286366.tif 000011
【図１０】
2010286366.tif 000012
【図１１】
2010286366.tif 000013
【図１２】
2010286366.tif 000014